(57)【特許請求の範囲】
【請求項１】
複数の収納体によって構成される収納ユニットであって、
所定の収納物が載置される第一底板と、前記第一底板と略直交するように前記第一底板の両端部と接続される一対の第一側板と、前記第一底板と略平行であるとともに前記一対の第一側板の上端部と接続される第一天板と、を有する第一収納体と、
前記第一収納体の上に接続可能な第二収納体であって、底板としての前記第一天板と、前記第一天板と略直交するように前記第一天板の両端部と接続される一対の第二側板と、前記第一天板と略平行であるとともに前記一対の第二側板の上端部と接続される第二天板と、を有する第二収納体と、
前記第一底板、前記第一天板、及び前記第二天板の夫々の前記収納ユニットの前面側の端面に、該端面に沿って設けられる溝部であって、該溝部の内部が該溝部の開口部よりも広がっている溝部と、を備える収納ユニット。
【請求項２】
前記第二収納体の上には、更に一又は複数の第二収納体が接続可能であり、
第二収納体の上に更に第二収納体を接続する場合、上側に配置される第二収納体の底板は、下側に配置される第二収納体の第二天板によって構成される、請求項１に記載の収納ユニット。
【請求項３】
前記収納ユニットに対してユーザが選択的に取り付け可能な所定の装置を前記溝部へ接続する接続部を更に備え、
前記接続部は、前記所定の装置に固定される固定部と、前記溝部内へ挿入された際、該溝部内の空間を形成する内壁の一部と接触し、該接続部が該溝部内から抜け落ちるのを防止する接触部と、一端に前記固定部が接続され、他端に前記接触部が接続される軸部とを有する、請求項１又は請求項２に記載の収納ユニット。
【請求項４】
前記接触部は、前記溝部内の空間を移動可能であり、
前記所定の装置は、前記接触部が移動することで、前記溝部が延びる方向にスライド可能である、請求項３に記載の収納ユニット。
【請求項５】
前記所定の装置は、前記収納ユニットの前面側の少なくとも一部の領域を覆う蓋である、請求項３又は請求項４に記載の収納ユニット。
【請求項６】
前記所定の装置は、前記収納ユニットの前面側を照らす照明である、請求項３又は請求項４に記載の収納ユニット。
【発明の詳細な説明】
【技術分野】
【０００１】
本発明は、収納ユニットに関する。
【背景技術】
【０００２】
複数の収納体を連結して所望の収納容量を確保できる連結式の収納ユニットが知られている。しかしながら、従来の連結式の収納ユニットは、箱状の収納体を複数連結する構成であることから、隣接部分で側板や横板が２枚ずつ接して連結されることになり、目地ラインが目立って見栄えが悪く、また、２枚分の板厚によって収納容量が減少するといった問題があった。
【０００３】
このような問題を解決する技術として、例えば特許文献１に記載の収納家具が知られている。特許文献１に記載の収納家具は、前面が開口した箱状の外郭体によって構成され、外郭体の内部には、水平に配置される水平板と垂直に配置される仕切り板が夫々複数枚設けられている。更に特許文献１には、上記水平板と仕切り板とによって分割された区画に、開き戸、引き戸、フリッパードア、棚板、引き出し等を選択的に取り付けけることができる旨が記載されている。
【特許文献１】特開２０００−２６２３３４号公報
【発明の開示】
【発明が解決しようとする課題】
【０００４】
前面が開口した箱状の外郭体によって構成され、外郭体の内部に、水平に配置される水平板と垂直に配置される仕切り板とを複数枚設けた収納家具が知られている。この従来の収納家具によれば、水平板と仕切り板とによって分割された区画に、開き戸、引き戸、フリッパードア等を選択的に取り付けることで、収納機能を多彩に組み合わせることができる。しかしながら、上記の従来の収納家具は、収納家具の容量が、外郭体の寸法によって決定されることから、後から容量を増やすことはできない。
【０００５】
本発明は、上記問題に鑑みてなされたものであり、使用目的に応じて収納容量を調節することができ、かつ、収納ユニットに対してユーザが選択的に取り付け可能な所定の装置を容易に取り付けることができる収納ユニットを提供することを課題とする。
【課題を解決するための手段】
【０００６】
本発明では、上記の課題を解決するため、以下の手段を採用した。すなわち本発明は、複数の収納体によって構成される収納ユニットであって、所定の収納物が載置される第一底板と、前記第一底板と略直交するように前記第一底板の両端部と接続される一対の第一側板と、前記第一底板と略平行であるとともに前記一対の第一側板の上端部と接続される第一天板と、を有する第一収納体と、前記第一収納体の上に接続可能な第二収納体であって、底板としての前記第一天板と、前記第一天板と略直交するように前記第一天板の両端部と接続される一対の第二側板と、前記第一天板と略平行であるとともに前記一対の第二側板の上端部と接続される第二天板と、を有する第二収納体と、前記第一底板、前記第一天板、及び前記第二天板の夫々の前記収納ユニットの前面側の端面に、該端面に沿って設けられる溝部であって、該溝部の内部が該溝部の開口部よりも広がっている溝部と、を備える。
【０００７】
本発明によれば、第一収納体の上に第二収納体が接続可能であり、使用目的に応じて収納容量の調節を図ることができる。また、第一底板、第一天板、及び第二天板、すなわち、床面と略水平に設置される全ての板の前面側には、溝部が設けられている。これにより
、例えば蓋や照明といった収納ユニットに対してユーザが選択的に取り付け可能な所定の装置を容易に接続することができる。
【０００８】
第一収納体は、所定の収納物が載置される第一底板と、この第一底板と所定の間隔をあけて平行に配置される第一天板と、第一底板と第一天板との左右方向の両端部に接続される一対の側板によって構成される。なお、第一収納体の前後方向を開口することで、前後いずれからでも所定の収納物の出し入れが可能となる。一方、後面に後板を設けると、収納物の出し入れは前面からしか行えなくなるものの、第一収納体の強度を向上させることができる。なお、所定の収納物とは、収納ユニットに収納される物であり、書籍、ダンボール等いずれでもよい。
【０００９】
第二収納体は、第一収納体の上に接続することができる。基本的には、第一収納体と同じく、所定の収納物が載置される底板と底板と所定の間隔をあけて平行に配置される第二天板と、第二底板と第二天板と直交よって構成することができる。但し、第二収納体では、底板が第一天板によって構成される。つまり、第一天板は、第一収納体の天板と、第二収納体の底板を兼ねている。これにより、底板の厚さ分だけ、収納容量を増加させることができる。若しくは、収納容量を維持したまま、収納ユニットのコンパクト化を図ることができる。なお、第二収納体においても後板を設けてもよく、これにより第二収納体の強度を向上させることができる。
【００１０】
第一底板、第一天板、及び第二天板の前面側の端面、換言すると、水平に配置される全ての板の前面側の端面には端面に沿って溝部が設けられている。この溝部は、該溝部の内部が該溝部の開口部よりも広がるように形成されている。つまり、溝部は、溝部が延びる方向と直交する断面において溝部内の空間を形成する内壁同士の間隔よりも狭い開口部を有している。このような溝部を収納ユニットの前面に設けることで、収納ユニットを覆う蓋や収納ユニットの前面側を照らす照明等の様々な所定の装置を容易に取り付けることが可能となる。また、本発明では、水平に配置される全ての板（第一底板、第一天板、第二天板）にこのような溝部が設けられることで、蓋や照明等を接続する際の設計の自由度が高められている。
【００１１】
ここで、本発明において、前記第二収納体の上には、更に一又は複数の第二収納体が接続可能であり、第二収納体の上に更に第二収納体を接続する場合、上側に配置される第二収納体の底板は、下側に配置される第二収納体の第二天板によって構成されるようにしてもよい。
【００１２】
本発明によれば、更に一又は複数の第二収納体を複数段積み重ねることで、収納ユニットの収納容量を調節することができる。なお、第一収納体の上に第二収納体が接続される場合、上述したように第二収納体の底板は、第一収納体の第一天板によって構成される。従って、第二収納体の上に更に第二収納体が接続される場合、第二収納体の第二底板は、下側に接続されている第二収納体の第二天板によって構成されることになる。その結果、底板の厚さ分だけ、収納容量を増加させることができる。若しくは、収納容量を維持したまま、収納ユニットのコンパクト化を図ることができる。
【００１３】
また、本発明は、前記収納ユニットに対してユーザが選択的に取り付け可能な所定の装置を前記溝部へ接続する接続部を更に備え、前記接続部は、前記所定の装置に固定される固定部と、前記溝部内へ挿入された際、該溝部内の空間を形成する内壁の一部と接触し、該接続部が該溝部内から抜け落ちるのを防止する接触部と、一端に前記固定部が接続され、他端に前記接触部が接続される軸部とを有するようにしてもよい。
【００１４】
本発明によれば、収納ユニットの前面に設けられた溝部に所定の装置を容易に接続する
ことができる。接続部は、上記のように固定部と、接触部と、軸部とによって構成することができる。接続部は、溝部内へ挿入した際、接触部が溝部内の開口部付近に引っ掛かることで、溝部内から抜け落ちないものであればよく、その形状は特に限定されるものではない。接続部は、例えば、先端が折り返された断面形状が逆Ｌ字型接続部材とすることができる。この場合、溝部内へ挿入された折り返し部が溝部の開口部付近で引っ掛かるので、溝部と蓋との接続が可能となる。なお、接続部の溝部内への挿入は、正面側から行ってもよく、また、溝部は、両側面（左右両側）を開口しておき、開口した側面から行うようにしてもよい。
【００１５】
なお、本発明において、前記接触部は、前記溝部内の空間を移動可能であり、前記所定の装置は、前記接触部が移動することで、前記溝部が延びる方向にスライド可能としてもよい。
【００１６】
本発明によれば、収納ユニットの利便性をより向上させることができる。なお、溝部は、前面側の端面に沿って延びていることから、接続部を例えば上述した逆Ｌ字型接続部材とした場合であっても、スライドさせることはできる。但し、よりスムーズにスライドさせるため、接続部は、ローラを有する構成としてもよい。これにより、所定の装置をよりスムーズにスライドさせることが可能となる。
【発明の効果】
【００１７】
本発明によれば、使用目的に応じて収納容量を調節することができ、かつ、収納ユニットに対してユーザが選択的に取り付け可能な所定の装置を容易に取り付けることができる収納ユニットを提供することができる。
【発明を実施するための最良の形態】
【００１８】
次に、本発明の収納ユニットの実施形態について図面に基づいて説明する。
【００１９】
＜第一実施形態＞
（収納ユニットの構成）
本実施形態では、収納体が３段積み重ねられた収納ユニットを例に説明する。図１は、引き戸２３が装着された収納ユニット１００の正面図を示す。図２は、引き戸２３が装着された収納ユニット１００の上面図を示す。図３は、図１におけるａａ断面図を示す。図４は、引き戸２３が外された収納ユニット１００の正面図を示す。図５は、収納ユニット１００の分解斜視図を示す。第一実施形態の収納ユニット１００は、３つの収納部、すなわち第一収納体１ａ、第二収納体１ｂ、第三収納体１ｃが積み重ねられることで構成されている。以下、各構成について、更に詳しく説明する。
【００２０】
第一収納体１ａは、第一底板１１ａと、一対の第一側板１２ａと、第一天板１５ａと、第一後板１４ａとによって構成されている。本実施形態では、いずれの板材も金属製の板材によって構成されており、内部に中空部を有する薄い箱型とすることで軽量化を図ると共に収納ユニットに必要な強度が確保されている。なお、板材の材質は、特に限定されないが、アルミニウムとすることでより軽量化を実現することができる。第一底板１１ａは、平面視が長方形であり、床面と平行に配置される。第一底板１１ａの上面の両端には、一対の第一側板１２ａがほぼ垂直に立ち上げられている。第一側板１２ａは、図３に示すように平面視が凡そ正方形である。一対の第一側板１２ａの上端には、第一天板１５ａの下面が接続されている（図３参照）。第一天板１５ａは、第一底板１１ａとほぼ同じ大きさの長方形となっている。第一後板１４ａは、第一収納体１ａの後面（図１における紙面奥側の面）を塞ぐように、第一底板１１ａ、一対の第一側板１２ａ、及び第一天板１５ａ夫々の後面側の端面と接続されている。以上により、第一収納体１ａは、前面側が開口した箱型形状を有している。なお、本実施形態では、後板（第一後板１４ａ、第二後板１４
ｂ、第三後板１４ｃ）を設けることで、第一収納体１ａの強度がより向上されている。但し、これに限定されるものではなく、例えば、後面も開口し、収納物を収納ユニット１００の前後から出し入れできるようにしてもよい。
【００２１】
板材同士の接続（例えば、第一底板１１ａと第一側板１２ａとの接続）は、接続プレート１８を各板材の端部に設けられたプレート差込口１９に挿入することで行うことができる。ここで、図６は、板材同士の接続形態を示す。図６は、一例として、第一底板１１ａと第一側板１２ａとの接続形態を示し、第一底板１１ａと第一側板１２ａとの夫々に設けられたプレート差込口１９に接続プレート１８が挿入されるようになっている。なお、本実施形態では、接続プレート１８とプレート差込口１９とによって板材同士の接続を可能としているが、板材同士の接続方法は、これに限定されない。例えば、板材同士の接続は、ボルトとナットいった固定部材を用いて行ってもよい。また、これらを併用してもよい。更に、部材同士の接続強度をより向上させるため、隅部にＬ字型の補強部材を設けてもよい。
【００２２】
第二収納体１ｂは、第一収納体１ａの上に接続され、第二収納体１ｂの底板として機能する第一天板１５ａと、一対の第二側板１２ｂと、第二天板１５ｂと、第二後板１４ｂと、によって構成されている。第二収納体１ｂの底板として機能する第一天板１５ａとは、第二収納体１ｂの底板に第一収納体１ａの第一天板１５ａが利用されていることを意味する。これにより、本実施形態では、底板の厚さ分だけ、収納容量を増加させることができる。若しくは、収納容量を維持したまま、収納ユニット１００のコンパクト化を図ることができる。なお、一対の第二側板１２ｂ、第二天板１５ｂ、第二後板１４ｂは、夫々、上述した一対の第一側板１２ａ、第一天板１５ａ、第一後板１４ａと同様の構成である。従って、その詳細な説明は、省略する。
【００２３】
第三収納体１ｃは、第二収納体１ｂの上に接続され、第三収納体１ｃの底板として機能する第二天板１５ｂと、一対の第三側板１２ｃと、第三天板１５ｃと、第三後板１４ｃと、によって構成されている。第二収納体１ｂにおける底板として第一収納体１ａの第一天板１５ａが利用されていたように、第三収納体１ｃでは、第三収納体１ｃの下側に配置される第二収納体１ｂの第二天板１５ｂが第三収納体１ｃの底板として利用されている。なお、一対の第三側板１２ｃ、第三天板１５ｃ、第三後板１４ｃは、夫々、上述した一対の第一側板１２ａ、第一天板１５ａ、第一後板１４ａと同様の構成である。従って、その詳細な説明は、一対の第二側板１２ｂ、第二天板１５ｂ、第二後板１４ｂの説明と同じく省略するものとする。
【００２４】
第一底板１１ａ、第一天板１５ａ、第二天板１５ｂ及び第三天板１５ｃ（以下、全ての水平部材とも言う。）の前面側の端面には、溝部１７ｃが設けられている。溝部１７ｃには、後述する逆Ｌ字型接続部材３０やローラ付き接続部材４０が接続された引き戸２３が接続可能となっている。本実施形態では、全ての水平部材の前面側に溝部１７ｃが設けられており、引き戸２３やや照明５０といった所定の機器（本発明の所定の装置に相当する。）の取り付け位置に関する設計の自由度が高められている。
【００２５】
溝部１７ｃは、図１、図３等に示すように、第三天板１５ｃの前面側の端面に接続されたレール部材１７の前面側の端面に沿って設けられている。本実施形態では、第三天板１５ｃとレール部材１７とが別部材として構成されている。ここで、図７は、第三天板１５ｃとレール部材１７との接続断面を示す。また、図８は、レール部材１７の断面を示す。図７に示すように、レール部材１７は、第三天板１５ｃの前面側の端面に接続されている。レール部材１７と第三天板１５ｃとの接続は、ボルト６１とナット６２によって実現されている。より詳細には、第三天板１５ｃの前面側の端面には、ボルト６１の軸部６３が貫通する貫通孔が設けられており（図示せず）、ボルト６１の軸部６３の挿入が可能とな
っている。また、レール部材１７には、第三天板１５ｃの前面側の端面と接する面に軸部６３が貫通する貫通孔６４が設けられ、貫通孔６４の先にはナット６２を収容するための空間６５が形成されている。また、レール部材１７の前面側には、溝部１７ｃが設けられ、この溝部１７ｃには、溝部１７ｃを形成する空間１７ｃ１よりも狭い開口部１７ｃ２が設けられている。
【００２６】
次に、上記溝部１７ｃに接続可能な接続部材と、接続部材が設けられた引き戸２３について説明する。図９は、引き戸２３の正面図、図１０は、引き戸２３の上面図、図１１は、引き戸２３の側面図を示す。第一実施形態の引き戸２３は、正面視において縦長の長方形であり、その幅は、収納ユニット１００の正面視における横幅の約１／２に設計されている。また、高さは、収納ユニット１００の高さ、すなわち第一収納体１ａと第二収納体１ｂと第三収納体１ｃの高さの和と一致するように設計されている。これにより、本実施形態の収納ユニット１００は、右側若しくは左側半分が引き戸２３によって覆われることになる（図１参照。）引き戸２３は、金属製の板材によって構成されており、内部に中空部を有する薄い箱型とすることで軽量化を図ると共に収納ユニットに必要な強度が確保されている。
【００２７】
引き戸２３の裏面には、ローラ付き接続部材４０が、上部及び下部の夫々２箇所、合計４箇所設けられている。ローラ付き接続部材４０は、本発明の接続部材に相当するものであり、引き戸２３の裏面に固定される固定部４１と、溝部１７ｃ内へ挿入され、溝部１７ｃ内の空間１７ｃ２と接触する接触部４２と、一端に固定部４１が接続され、他端に接触部４２が接続される軸部４３と、によって構成されている。なお、本実施形態のローラ付き接続部材４０は、接触部４２にローラ４４が設けられており、ローラ４４が回転して溝部１７ｃ内を移動するので、引き戸２３の円滑なスライドが可能となっている。固定部４１、軸部４３、接触部４２は、一枚の金属製の板材が折り曲げられることで成形されている。具体的には、固定部４１は、引き戸２３の裏面と平行であり、この固定部４１の端部が、床面と平行になるように直角に折り曲げられることで床面と平行な軸部４３が形成されている。更に、この軸部４３の端部は、引き戸２３の裏面と平行になるように直角に折り曲げられ、引き戸２３の裏面と平行な接触部４２が形成されている。そして、この接触部４２には、ローラ４４が設けられている。ローラ４４は、その外径が溝部１７ｃの空間１７ｃ２の高さよりもやや小さくなるように設計されている。また、軸部４３は、溝部１７ｃの開口部１７ｃ２を通過できる厚さに設計されている（図６参照。）。
【００２８】
ここで、本実施形態の収納ユニット１００には、その外側面に収納ユニット１００を覆う化粧パーツが取り付けられている（図５の分解斜視図を参照。）。これにより、収納ユニット１００への損傷を防止すると共に、デザイン性の向上が図られている。そこで、収納ユニット１００を化粧パーツについて説明する。
【００２９】
図１２は、第一側板１２ａ、第二側板１２ｂ、及び第三側板１２ｃ（以下、各側板ともいう。）を覆う化粧側板７０の平面図を示す。図１３は、各側板を覆う化粧側板７０の側面図を示す。化粧側板７０は、合成樹脂からなり、平面視において凡そ正方形であり、上述した各側板を覆えるよう、各側板とほぼ同じ大きさに設計されている。化粧側板７０には、各側板と接触する側に突出したクッション部７１が設けられている。このクッション部７１は、格子状に突出した凸部によって構成され、外部からの衝撃等を吸収することができる。また、化粧側板７０の四隅の近傍には、各側板と接続するための取り付け用凸部７２が設けられている。従って、各側板の四隅近傍に、取り付け用凸部７２を挿入するための取付用孔部を形成しておくことで、化粧側板７０の各側板への取り付けが可能となる。
【００３０】
本実施形態の収納ユニット１００は、上記化粧側板７０以外にも収納ユニット１００を
覆う化粧パーツが設けられている。化粧側板７０以外の化粧パーツとしては、図５に示すように、最も上の天板（本実施形態では、第三天板１５ｃ）を覆うための化粧天板７５、各後板（第一後板１４ａ、第二後板１４ｂ、第三後板１４ｃ）を覆う化粧後板７６、第三天板１５ｃと化粧天板７５を固定した状態で側面を覆う天板キャップ７７が例示される。化粧天板７５や化粧後板７６等は、化粧側板７０と同じく合成樹脂によって形成することができる。なお、化粧天板７５や化粧後板７６についても、化粧側板７０と同じく格子状に突出した凸部からなるクッション部を設けてもよいが、側面に比べて外部から外力を受ける影響が少ないことから、単なる平板状としてもよい。なお、化粧天板７５と第三天板１５ｃとの接続及び化粧後板７６と各後板との接続は、化粧側板７０と各側板との接続と同様に行うことができる。
【００３１】
また、本実施形態では、第一収納体１ａの下部に脚部材２０が４箇所設けられている（図１参照）。これにより、床面と第一収納体１ａとの間に空間が形成される。この空間は、例えば第一収納体を移動する場合に手を入れる空間として利用することができる。その結果、移動する際の利便性が高められる。また、上記空間は、床面と第一収納体１ａの下面との間に空気を通すので、通気性を向上させることができる。なお、脚部材２０は、第一収納体１ａの第一底板１１ａの下面における、四隅近傍に設けられている。ここで、図１４は、脚部材の正面図であり、図１５は、脚部材の側面図を示す。脚部材２０は、側面視においてＬ字状の基部２０ａと、床面と接触する床面接触部２０ｂと、によって構成されている。床面接触部２０ｂは、基部２０ａに内包され、垂直方向にスライド可能である。その結果、本実施形態によれば、脚部材２０によって収納ユニット１００の水平出し（高さ調節）を行うことができる。
【００３２】
（収納ユニットの使用方法）
次に、上述した実施形態の収納ユニット１００の使用方法について説明する。第一実施形態の収納ユニット１００は、収納ユニット１００を構成する部材を組み立てて使用する。そこで、組立て方法について説明すると、まず、第一収納体１ａを組立て、第一収納体１ａの組立て完了後、第二収納体１ｂ、第三収納体１ｃの順に組み立てる。第一収納体１ａの組立ては、第一底板１１ａ、一対の第二側板１２ｂ、第一天板１５ａ及び第一後板１４ａを接続プレート１８を用いて行う。第二収納体１ｂの組立ては、第一収納体１ａの組立て完了後、第一収納体１ａの第一天板１５ａの上面に一対の第二側板及び第二後板１４ｂを接続プレート１８を用いて組み立てる。第二収納体１ｂの組立ては、第二収納体１ｂの組立てと同様の手順により行うことができる。
【００３３】
第一収納体１ａ、第二収納体１ｂ及び第三収納体１ｃの組立てが完了したら、引き戸２３を所定の位置に取り付ける。すなわち、本実施形態では、第一底板１１ａに設けられた溝部１７ａに引き戸２３の下側のローラ４４を、第三天板１５ｃに設けられた溝部１７ｃに引き戸２３のローラ４４を、収納ユニット１００の側面側から通すことで、引き戸２３の取り付けが完了する。その後、必要に応じて化粧側板７０、化粧天板７５及び化粧後板７６を取り付ける。なお、各種化粧板の取り付けは、ローラ４４を通す溝部１７ｃに関連する部分を除いて引き戸２３の取り付け前に行ってもよい。
【００３４】
（効果）
以上説明した第一実施形態の収納ユニット１００によれば、収納体を複数接続することができるので、使用目的に応じて収納容量の調節を図ることができる。また、第一底板１１ａ、第一天板１５ａ、第二天板１５ｂ及び第三天板１５ｃ、すなわち、床面と略水平に設置される全ての板の前面側には、溝部１７ｃが設けられている。従って、ユーザが希望する所定の位置に、引き戸２３を容易に取り付けることができる。また、本実施形態では、第一収納体１ａの第一底板１１ａの溝部１７ｃと第三収納体１ｃの第三天板１５ｃの溝部１７ｃにローラ４４が挿入されているように、異なる収納体の溝部同士を協同して用い
ることができる。
【００３５】
＜第二実施形態＞
次に第二実施形態の収納ユニットについて説明する。ここで、図１６は、第二実施形態の収納ユニット１０１の正面図を示す。収納ユニット１０１は、４つの収納体によって構成されている。つまり、第二実施形態の収納ユニット１０１は、第一実施形態の収納ユニット１００よりも収納体が一段多い構成であり、第一収納体１ａ、第二収納体１ｂ、第三収納体１ｃ、及び第四収納体１ｄによって構成されている。なお、各収納体の構成は、基本的には、上述した第一実施形態の収納ユニット１００と同様の構成であるので、その説明は省略するものとする。
【００３６】
また、第二実施形態の収納ユニット１０１では、引き戸２４が収納ユニット１０１の上側３段かつ左右半分を覆うようにその大きさが設計されている点で、第一実施形態の収納ユニット１００と異なる。なお、第二実施形態の収納ユニット１０１に取り付けられる引き戸２４は、溝部と接続する接続部材の構成も異なっている。そこで、第二実施形態の引き戸２４及び接続部材について説明する。図１７は、引き戸２４の正面図であり、図１８は、引き戸２４の側面図を示す。第二実施形態の引き戸２４は、正面視において縦長の長方形であり、その幅は、収納ユニット１００の正面視における横幅の約１／２に設計されている。また、高さは、収納ユニット３段分の高さ、すなわち第二収納体１ｂと第三収納体１ｃと第四収納体１ｄの高さの和と一致するように設計されている。その結果、第二実施形態の収納ユニット１０１は、右側若しくは左側半分及び上側３段が引き戸２４によって覆われることになる（図１６参照。）なお、図１６においては、引き戸２４が左右方向においてほぼ中心に配置されている。
【００３７】
また、第二実施形態の引き戸２４の裏面にも、第一実施形態の引き戸２３と同じく、接続部材が接続されている。但し、第二実施形態の接続部材は、逆Ｌ字型接続部材３０によって構成されている。逆Ｌ字型接続部材は、引き戸２４の裏面に固定される固定部３１と、溝部１７ｃ内へ挿入され、溝部１７ｃ内の空間１７ｃ２と接触する接触部３２と、一端に固定部３１が接続され、他端に接触部３２が接続される軸部３３と、によって構成されている。固定部３１、軸部３３、接触部３２は、一枚の金属製の板材が折り曲げられることで成形され、固定部３１は、引き戸２４の裏面と平行であり、この固定部３１の端部が、床面と平行になるように直角に折り曲げられることで床面と平行な軸部３３が形成されている。更に、この軸部３３の端部は、引き戸２４の裏面と平行になるように直角に折り曲げられ、引き戸２４の裏面と平行な接触部３２が形成されている。溝部１７ｃ内の空間に挿入された接触部３２は、開口部１７ｃ２付近で引っ掛かることになるので、引き戸２４を溝部１７ｃへ接続することが可能となる。なお、第二実施形態の逆Ｌ字型接続部材３０は、第一実施形態のローラ付き接続部材４０に比べて部品点数を少なくすることができる。また、ローラ付き接続部材４０の場合、溝部１７ｃへの挿入は、側面から行う必要があったが、逆Ｌ字型接続部材３０によれば、接触部３２を開口部１７ｃ２に挿入可能な大きさとすることで、正面から挿入することができる。
【００３８】
＜その他の実施形態＞
以上、本発明の好適な実施形態を説明したが、本発明の収納ユニットはこれらに限らず、可能な限りこれらの組合せを含むことができる。例えば、上述した実施形態では、各部材を金属製としたが、十分な強度を有していればよく、材質は特に限定されるものではない。また、例えば、収納ユニットは、第二収納体１ｂと第三収納体１ｃとを組み合わせた構成としてもよい。すなわち、床面を第二収納体１ｂの底板として利用し、このような第二収納体１ｂの上に第三収納体１ｃを積み重ねた構成としてもよい。更に、上述した実施形態では、収納体同士を垂直方向に接続する場合について説明した。但し、例えば、左右方向に収納体同士を連結するようにしてもよい。この場合、接続される側の化粧側板７０
は、設けず、側板同士を接触させることが好ましい。これにより、レール部材１７の左右方向の端面同士が連続し、隣接する収納体の溝部同士が連続することになる。従って、引き戸２３は、隣接する収納体同士の間でも自由にスライドさせることが可能となる。なお、上述した実施形態では、溝部１７ｃは、水平方向にのみ設けたが、必要に応じて垂直方向に設けてもよい。
【図面の簡単な説明】
【００３９】
【図１】引き戸が装着された第一実施形態の収納ユニットの正面図を示す。
【図２】引き戸が装着された第一実施形態の収納ユニットの上面図を示す。
【図３】図１におけるａａ断面図を示す。
【図４】引き戸が外された第一実施形態の収納ユニットの正面図を示す。
【図５】収納ユニットの分解斜視図を示す。
【図６】板材同士の接続形態を示す。
【図７】第三天板とレール部材との接続断面を示す。
【図８】レール部材の断面を示す。
【図９】引き戸の正面図を示す。
【図１０】引き戸の上面図を示す。
【図１１】引き戸の側面図を示す。
【図１２】化粧側板の平面図を示す。
【図１３】化粧側板の側面図を示す。
【図１４】脚部材の正面図を示す。
【図１５】脚部材の側面図を示す。
【図１６】第二実施形態の収納ユニットの正面図を示す。
【図１７】引き戸の正面図を示す。
【図１８】引き戸の側面図を示す。
【符号の説明】
【００４０】
１ａ・・・第一収納体
１ｂ・・・第二収納体
１ｃ・・・第三収納体
１ｄ・・・第四収納体
１７・・・レール部材
１７ｃ・・・溝部
２３、２４・・・引き戸
１００、１０１・・・収納ユニット
【図１】
0005066428.tif 000002
【図２】
0005066428.tif 000003
【図３】
0005066428.tif 000004
【図４】
0005066428.tif 000005
【図５】
0005066428.tif 000006
【図６】
0005066428.tif 000007
【図７】
0005066428.tif 000008
【図８】
0005066428.tif 000009
【図９】
0005066428.tif 000010
【図１０】
0005066428.tif 000011
【図１１】
0005066428.tif 000012
【図１２】
0005066428.tif 000013
【図１３】
0005066428.tif 000014
【図１４】
0005066428.tif 000015
【図１５】
0005066428.tif 000016
【図１６】
0005066428.tif 000017
【図１７】
0005066428.tif 000018
【図１８】
0005066428.tif 000019